(57)【要約】【課題】給紙フィーダに原稿厚が不均一な原稿を装填する場合に、原稿の装填時の跳ね上がりを抑え、原稿が給紙口に引っかかることによるスキュー等の発生を防止することのできる給紙フィーダ用アタッチメントを提供することを目的とする。【解決手段】給紙ローラ１４に下方から押圧付勢されたホッパプレート１０を備えた給紙フィーダに使用する給紙フィーダ用アタッチメント１において、板状のベース部２と、給紙ローラ１４の下方に位置するホッパプレート１０の上面にベース部２を取り付けた状態において、ベース部２の上面の給紙ローラ１４の下方となる位置に突出するように形成された突起部４とを備えた構成とした。これにより、原稿の両端とホッパプレート１０との間に隙間を作り、原稿の装填時の跳ね上がりを抑える。【選択図】  図１
2004269070.tif 000002
【特許請求の範囲】
【請求項１】
給紙ローラに下方から押圧付勢されたホッパプレートを備えた給紙フィーダに使用する給紙フィーダ用アタッチメントであって、
板状のベース部と、
前記給紙ローラの下方に位置する前記ホッパプレートの上面に前記ベース部を取り付けた状態において、前記ベース部の上面の前記給紙ローラの下方となる位置に突出するように形成された突起部と、
を備えていることを特徴とする給紙フィーダ用アタッチメント。
【請求項２】
前記突起部は、前記給紙フィーダにより前記給紙ローラに下方から押圧付勢される平面部を有し、その平面部が前記ホッパプレートと前記給紙ローラとの間に挟み込まれる位置に形成されていることを特徴とする請求項１記載の給紙フィーダ用アタッチメント。
【請求項３】
前記突起部は、前記ベース部を前記給紙ローラの下方に位置する前記ホッパプレートの上面に取り付けられた状態において、給紙方向に向かって上向きに傾斜するように形成された傾斜部を有し、前記平面部が前記傾斜部の上端に連接されるとともに、該平面部が前記ベース部の上面と平行となるように形成されることを特徴とする請求項２記載の給紙フィーダ用アタッチメント。
【請求項４】
前記ベース部を前記給紙ローラの下方に位置する前記ホッパプレートの上面に取り付けられた状態において、給紙方向に対して前記突起部の左右側となる位置に、前記突起部の高さと略同じ高さに前記ベース部の上面に突出形成され、給紙方向に向かって上向きに傾斜して形成された２つの爪部を備えていることを特徴とする請求項１、２又は３記載の給紙フィーダ用アタッチメント。
【発明の詳細な説明】
【０００１】
【発明の属する技術分野】
本発明は、プリンタ、スキャナー、ファックス等の給紙フィーダに使用する給紙フィーダ用アタッチメントに関し、特に、印字等が付いた原稿厚が不均一な原稿を給紙する際に使用される給紙フィーダ用アタッチメントに関する。
【０００２】
【従来の技術】
プリンタ、スキャナー、ファックス等においては、印刷紙や読取原稿（以下、まとめて「原稿」という。）を給紙する際に、原稿を給紙口に装填するために給紙フィーダが使用される。通常、給紙口には、給紙フィーダの内部の原稿を給紙口に挿入するための給紙ローラが設けられている。そして、給紙フィーダは、単に原稿を保持するのみでなく、複数の原稿の束を保持して、給紙口から重送されることなく原稿を１枚ずつ給紙するために、所定の圧力で給紙ローラに原稿を押圧する構造とされている（例えば、特許文献１参照）。
【０００３】
ところで、給紙される原稿は、通常は規格により決められた大きさの原稿（例えば、ＪＩＳ規格のＡ４サイズ等）が多いため、給紙ホッパは、規格で決められたサイズに合わせて作られている。しかしながら、実際には原稿のサイズや種類は様々であり、定型のサイズの給紙ホッパでは、総ての種類の原稿を最適な状態で給紙口に装填することは困難である。このような場合、給紙フィーダ用アタッチメントが使用される。
【０００４】
従来の給紙フィーダ用アタッチメントとして、原稿のサイズに合わせた小型のホッパプレートを有するアタッチメントを、給紙フィーダの内部に取り付けるものが知られている（例えば、特許文献２〜５参照）。
【０００５】
また、給紙フィーダ用アタッチメントではないが、ホッパプレート自体に、スライドして幅を変化させることができる用紙ガイドを設けたものも知られている（例えば、特許文献６参照）。
【０００６】
【特許文献１】
特開２０００−９５３５７号公報
【特許文献２】
特開昭６２−２０５９３１号公報（第４頁，第１図，第２図）
【特許文献３】
実公平２−１８０２４号公報（第６頁，第１図，第８頁，第３図）
【特許文献４】
実開平１−７０７４０号公報（第１頁，第２図）
【特許文献５】
実開平１−７０７３７号公報（第２頁，第１図）
【特許文献６】
特開平１０−２９１６９５号公報（第３頁，第２図）
【０００７】
【発明が解決しようとする課題】
上記従来の給紙フィーダや給紙フィーダ用アタッチメントを使用すれば、封用や葉書のような、種々のサイズの原稿を給紙フィーダに最適な状態で装填することが可能となる。
【０００８】
しかしながら、印紙を貼った小切手等のような原稿厚が不均一な原稿を給紙する場合には、上記従来の給紙フィーダ用アタッチメントを使用しても、スキュー（ｓｋｅｗ：給紙時の原稿のずれにより生じる傾斜）等が生じてうまく給紙することができない場合がある。
【０００９】
図５は従来の給紙フィーダに印紙を貼った原稿厚が不均一な原稿を装填した状態を表す斜視図、図６は図５の原稿装填状態を給紙口の正面側から見た図である。
【００１０】
図５、図６において、給紙フィーダ１００は、プリンタ、スキャナー、ファックス等の給紙口１０１に設置されている。給紙口１０１の入り口上部には、給紙フィーダ１００上の原稿を、給紙口１０１内に搬送するための給紙ローラ１０２が配設されている。給紙フィーダ１００は、上面に原稿が載置されるホッパプレート１０３を備えており、ホッパプレート１０３は、下方からバネ（図示せず）により付勢されており、給紙ローラ１０２の下部に押圧された状態とされている。
【００１１】
このように構成された従来の給紙フィーダ１００において、印紙１０４ａを貼った小切手等のような積載原稿の高さが均一でない原稿１０４を装填した場合、図５、図６に示すような状態で、原稿はバネの弾性によってホッパプレート１０３と給紙ローラ１０２との間に挟持される。しかしながら、通常は、バネによるホッパプレート１０３の押圧力は、通常の用紙（Ａ４版サイズの用紙等）が重送されない程度の最適な圧力に調整されている。一方、印紙等が貼られた原稿１０４は、原稿厚が不均一であるため、図６のように、原稿１０４の左端又は右端（印紙等が貼られた側）が、上方に跳ね上がった状態で装填される。
【００１２】
このように、左端又は右端が跳ね上がった状態で装填された原稿１０４を給紙しようとした場合、原稿１０４の一端は、給紙口１０１の片側に引っかかったり接触して摩擦が生じたりする。その結果、スキュー等が生じ、印刷ずれや読み込みずれ等の不具合が生じる。
【００１３】
そこで、本発明の目的は、給紙フィーダに印紙を貼った小切手等の原稿厚が不均一な原稿を装填する場合に、原稿の装填時の跳ね上がりを抑え、原稿が給紙口に引っかかることによるスキュー等の発生を防止することのできる給紙フィーダ用アタッチメントを提供することにある。
【００１４】
【課題を解決するための手段】
上記課題を解決するために、本発明に係る給紙フィーダ用アタッチメントは、給紙ローラに下方から押圧付勢されたホッパプレートを備えた給紙フィーダに使用する給紙フィーダ用アタッチメントであって、板状のベース部と、給紙ローラの下方に位置するホッパプレートの上面にベース部を取り付けた状態において、ベース部の上面の給紙ローラの下方となる位置に突出するように形成された突起部と、を備えていることを特徴とする。
【００１５】
この構成により、給紙フィーダに印紙を貼った小切手等の原稿厚が不均一な原稿を装填する場合に、原稿の装填時の跳ね上がりを抑え、原稿が給紙口に引っかかることによるスキュー等の発生を防止することができる。
【００１６】
【発明の実施の形態】
本発明の請求項１に記載の給紙フィーダ用アタッチメントは、給紙ローラに下方から押圧付勢されたホッパプレートを備えた給紙フィーダに使用する給紙フィーダ用アタッチメントであって、板状のベース部と、給紙ローラの下方に位置するホッパプレートの上面にベース部を取り付けた状態において、ベース部の上面の給紙ローラの下方となる位置に突出するように形成された突起部と、を備えていることを特徴とする。
【００１７】
小切手のような印紙等が付いた原稿厚が不均一な原稿束を給紙する際には、本発明の給紙フィーダ用アタッチメントを給紙フィーダの上面に取り付けて使用し、原稿束の中央部分を、突起部と給紙ローラの間に挟んで給紙する。これにより、原稿束の左右両端とホッパプレートとの間に隙間ができる。そのため、原稿束の左右両端が跳ね上がる量が抑えられ、原稿束の左右両端はこの隙間側に広がる。そして、最上部の原稿は、ほぼ平らにされた状態で給紙される。従って、原稿厚が不均一な原稿を給紙する場合であっても、原稿が給紙口に引っかかってスキュー等が発生するのを防止することが可能となる。
【００１８】
ここで、突起部とベース部とは一体形成されたものとすることができる。一体形成とすることで、製造時の工数が削減できるため、製造が容易で製造コストを低減できる。
【００１９】
また、給紙フィーダ用アタッチメントは、金属により形成することができる。金属で形成することで、製造時の加工が容易となる。また、ホッパプレートの押圧力を調節するための錘としても使用することができる。特に、厚さの薄い紙を給紙する場合には、紙の重送を防止するために、ホッパプレートの押圧力を弱める必要がある。そのような場合、別途荷重調節用の錘を用意して、その錘をホッパプレートに載せることで荷重を調節することも可能であるが、給紙フィーダ用アタッチメントを金属により形成することで、これを錘として兼用することができる。従って、別途荷重調節用の錘を用意する必要がなくなり、利便性が向上する。
【００２０】
請求項２に係る発明は、請求項１に記載の給紙フィーダ用アタッチメントにおいて、突起部は、給紙フィーダにより前記給紙ローラに下方から押圧付勢される平面部を有し、その平面部が前記ホッパプレートと前記給紙ローラとの間に挟み込まれる位置に形成されていることを特徴とする。
【００２１】
このように、突起部に平面部を設けているので、給紙ローラと突起部の平面部との間に原稿厚の不均一な原稿束を挟み込むことにより、原稿の最上部がほぼ平らになる。これにより、原稿厚の不均一な原稿を読みとる際等に発生する原稿の傾斜を防止できる。
【００２２】
請求項３に係る発明は、請求項２に記載の給紙フィーダ用アタッチメントにおいて、突起部は、ベース部を給紙ローラの下方に位置するホッパプレートの上面に取り付けられた状態において、給紙方向に向かって上向きに傾斜するように形成された傾斜部を有し、前記平面部が前記傾斜部の上端に連接されるとともに、該平面部が前記ベース部の上面と平行となるように形成されることを特徴とする。
【００２３】
このように、突起部に傾斜部を設けることで、給紙開始前に、給紙ローラと突起部との間に原稿束をセットする際に、傾斜部上面を滑らせながら原稿を差し入れることができる。このように傾斜部を滑らせながら平面部に向かって原稿を差し入れ、給紙ローラと原稿が当たると、原稿は傾斜部上面を滑りながらホッパプレートを徐々に押し下げて給紙ローラと傾斜部との間に侵入し、滑らかに平面部と給紙ローラとの間に原稿束を挟むことができる。
【００２４】
請求項４に係る発明は、請求項１、２又は３に記載の給紙フィーダ用アタッチメントにおいて、ベース部を給紙ローラの下方に位置するホッパプレートの上面に取り付けられた状態において、給紙方向に対して突起部の左右側となる位置に、突起部の高さと略同じ高さにベース部の上面に突出形成され、給紙方向に向かって上向きに傾斜して形成された２つの爪部を備えていることを特徴とする。
【００２５】
給紙ローラと突起部により原稿厚の不均一な原稿束の中央部を抑えた場合、原稿の最上部はほぼ平らになるが、下方の原稿の両端は支えがないので原稿自身の重さや原稿の厚みの相違により下に撓む場合がある。このとき、ホッパプレートの上面と給紙口の入口下部との間に段差があった場合、原稿の端が当該給紙口の入口下部の段差に引っかかるおそれがある。そこで、上記爪部を設けることで、原稿の両端が爪部によって押し上げられ、原稿の両端の撓みを減少させて、給紙口の入口下部の段差に引っかかることを防止することができる。
【００２６】
以下、本発明の一実施の形態について、図面を参照しながら説明する。
【００２７】
図１は本発明の実施の形態に係る給紙フィーダ用アタッチメントの斜視図である。
【００２８】
図１において、本実施の形態に係る給紙フィーダ用アタッチメント１は、金属板をプレス加工して形成されており、その躯体をなす板状のベース部２は平面視で左右対称の略Ｔ字形状を呈している。以下、このＴ字状のベース部２の幅が広がった側を前端側、その逆側を後端側とよぶことにする。
【００２９】
ベース部２の中央部分２ａは、略長方形状に形成されており、その前端側両側辺に、略直角三角形状の翼部２ｂ，２ｂが突出している。ベース部２の中央部分２ａには、左右対称位置に２つの開口部２ｃ，２ｃが形成されている。また、各開口部２ｃ，２ｃの内周縁部には、ベース部２の裏面側に係止爪３，３が突出形成されている。この係止爪３，３は、給紙フィーダのホッパプレート１０の上面に形成された係止口１１，１１と係合し、給紙フィーダ用アタッチメント１をホッパプレート１０上の所定位置に固定する。
【００３０】
ベース部２の中央部分２ａの前端側には、ベース部２の上面側に突出した突起部４が形成されている。この突起部４は、その基端側には、ベース部２と連接し、前端側に向かって上向きに傾斜した傾斜部４ａが形成され、前端側には、傾斜部４ａの上端に連接し、上面がベース部２の上面と平行な平面部４ｂが形成されている。
【００３１】
ベース部２の翼部２ｂ，２ｂの左右側先端には、ベース部２の上面側に突出する爪部５，５が形成されている。爪部５，５の先端は、突起部４の高さと略同じ高さに形成されており、前端側方向に向かって上向きに傾斜して形成されている。
【００３２】
図２は本発明の実施の形態に係る給紙フィーダ用アタッチメントを給紙フィーダに装着した状態を表す側断面図である。尚、本実施の形態では、一例として、給紙フィーダ用アタッチメントは、スキャナーの給紙フィーダに装着されているものとして説明する。
【００３３】
図２において、スキャナー本体の上下に配置された搬送路１２の間に形成された空間が、スキャナー本体内に原稿を給紙する給紙口１３である。搬送路１２は、給紙口１３の入り口部分が上下に拡開している。そして、この給紙口１３の入り口に、給紙される原稿を保持する給紙フィーダ９が取り付けられる。搬送路１２の上側には、原稿を給紙口１３内へ搬入するための給紙ローラ１４が配設されている。給紙フィーダ９のホッパプレート１０は、給紙口１３よりも下側に配設され、その前端側が給紙ローラ１４の下方に位置する。そして、ホッパプレート１０は、バネ（図示せず）によって、給紙ローラ１４の方向に付勢されている。
【００３４】
給紙フィーダ用アタッチメント１は、係止爪３，３が係止口１１，１１と係合し、ホッパプレート１０の上面に固定される。このとき、給紙フィーダ用アタッチメント１の前端側が、スキャナー本体内に原稿を給紙する給紙口１３に向かい合う向きに装着される。このとき、突起部４の平面部４ｂの上面の高さ及び爪部５，５の先端部の高さは、給紙口１３の高さと略同じ高さとなる。
【００３５】
以上のように構成された本実施の形態に係る給紙フィーダ用アタッチメントについて、以下その作用を説明する。
【００３６】
図３は本発明の実施の形態に係る給紙フィーダ用アタッチメントを装着した給紙フィーダに印紙を貼った原稿厚が不均一な原稿を装填した状態を表す斜視図、図４は図３の原稿装填状態を給紙口の正面側から見た図である。
【００３７】
図３，図４において、印紙２０ａが貼られた小切手等のような原稿厚が不均一な原稿２０の束は、中央部が給紙フィーダ用アタッチメント１の突起部４の上面と給紙ローラ１４との間に位置するように装填される。このとき、原稿２０の束は、バネの弾性によって給紙フィーダ用アタッチメント１の突起部４と給紙ローラ１４との間に挟持される。このとき、原稿２０の束の左右両側は、ホッパプレート１０の上側に少しばかり浮いた状態となり、原稿２０の束の左右両側とホッパプレート１０との間に隙間ができる。従って、図４に示したように、原稿２０の束が突起部４と給紙ローラ１４との間に挟まれた状態では、原稿２０の左右両端の跳ね上がりが抑えられ、原稿２０の束の左右両側はこの隙間側に広がる。そして、突起部４と給紙ローラ１４によって挟持された、最上部の原稿２０は、ほぼ平らにされた状態で給紙される。従って、原稿厚が不均一な原稿２０を給紙する場合であっても、原稿２０が給紙口１３に引っかかってスキュー等が発生することが防止される。
【００３８】
また、給紙フィーダ用アタッチメント１の両側の爪部５，５により、原稿２０の左右両側は、給紙口１３の高さと略同じ高さまで持ち上げられる。そのため、給紙時に、原稿２０の左右側部が給紙口１３の下側に引っかかってスキュー等が発生することも防止される。
【００３９】
尚、本実施の形態の給紙フィーダ用アタッチメント１は金属製であるため、錘の代わりにも使用することができる。
【００４０】
例えば、薄い原稿を給紙する場合に、原稿の重送を防止するために、ホッパプレート１０の押圧力を通常よりも弱くする必要がある。このような場合、ホッパプレート１０に給紙フィーダ用アタッチメント１を装着すれば、給紙フィーダ用アタッチメント１の重さによってホッパプレート１０の押圧力が弱められる。この状態で、薄い原稿を装填し給紙すれば、原稿の重送が防止される。
【００４１】
【発明の効果】
以上のように、本発明の請求項１に係る給紙フィーダ用アタッチメントによれば、給紙フィーダの上面に取り付けて使用することで、小切手や印紙等が付いた原稿厚が不均一な原稿束を給紙する際においても、原稿が給紙口に引っかかってスキュー等が発生するのを防止することが可能となる。
【００４２】
請求項２に係る発明によれば、突起部に平面部を設けたことにより、原稿厚の不均一な原稿を読みとる際等に発生する原稿の傾斜を防止できる。
【００４３】
請求項３に係る発明によれば、給紙開始前に、傾斜部上を滑らせながら、平面部と給紙ローラとの間に原稿束を挟ませることで、滑らかに原稿束をセットすることができる。従って、給紙開始前の原稿束のセットが容易となる。
【００４４】
請求項４に係る発明によれば、突起部の両側の爪部によって、原稿の両端の撓みが抑えられ、原稿の両端が給紙口の入口下部に引っかかることが防止される。そのため、原稿が給紙口の入口下部に引っかかってスキュー等が生じることを防止できる。
【図面の簡単な説明】
【図１】本発明の実施の形態に係る給紙フィーダ用アタッチメントの斜視図
【図２】本発明の実施の形態に係る給紙フィーダ用アタッチメントを給紙フィーダに装着した状態を表す側断面図
【図３】本発明の実施の形態に係る給紙フィーダ用アタッチメントを装着した給紙フィーダに印紙を貼った原稿厚が不均一な原稿を装填した状態を表す斜視図
【図４】図３の原稿装填状態を給紙口の正面側から見た図
【図５】従来の給紙フィーダに印紙を貼った原稿厚が不均一な原稿を装填した状態を表す斜視図
【図６】図５の原稿装填状態を給紙口の正面側から見た図
【符号の説明】
１  給紙フィーダ用アタッチメント
２  ベース部
２ａ  中央部分
２ｂ  翼部
２ｃ  開口部
３  係止爪
４  突起部
４ａ  傾斜部
４ｂ  平面部
５  爪部
９  給紙フィーダ
１０  ホッパプレート
１１  係止口
１２  搬送路
１３  給紙口
１４  給紙ローラ
【図１】
2004269070.tif 000003
【図２】
2004269070.tif 000004
【図３】
2004269070.tif 000005
【図４】
2004269070.tif 000006
【図５】
2004269070.tif 000007
【図６】
2004269070.tif 000008